(57)【要約】【課題】小型軽量化を図ることができるファン回転制御装置を提供する。【解決手段】変位部材の変位を拡大機構５２５によって拡大して可動端子２５３ｃを作動してポテンショメータの抵抗値を変化させる圧力−抵抗値変換機構２５Ａと、抵抗値に応じた電気信号によりファン回転用モータに供給する電力を調節してファン回転用モータの回転数を制御する制御回路とがケース内に収容される。拡大機構の第１の回動レバー５２１が、回動中心寄りに当接された変位部材の変位に応じて回動される。第２の回動レバー５２２が、回動中心寄りに当接された第１の回動レバーの自由端部の変位によって回動され自由端部に設けられた可動端子を作動させる。第１の回動レバーの当接面５２１ｃ１が第１の回動レバーの回転中心を通るレバー軸と直交する軸に対して鋭角をなす傾斜面であり、第２の回動レバーの当接面５２２ｄ１が円弧状である。【選択図】図８
2008106689.tif 000002
【特許請求の範囲】
【請求項１】
冷媒の圧力を受圧する変位部材の変位を拡大機構によって拡大し、この拡大した変位によって可動端子を作動してポテンショメータの抵抗値を変化させる圧力−抵抗値変換機構と、前記ポテンショメータの抵抗値に応じた電気信号によりファン回転用モータに供給する電力を調節してファン回転用モータの回転数を制御する制御回路とをケース内に収容してなるファン回転制御装置であって、
前記拡大機構が、回動中心寄りに当接された前記変位部材の変位に応じて回動される第１の回動レバーと、回動中心寄りに当接された前記第１の回動レバーの自由端部の変位によって回動され自由端部に設けられた前記可動端子を作動させる第２の回動レバーとを有し、前記第１の回動レバーの前記第２の回動レバーに対する当接面が、前記第１の回動レバーの回転中心を通るレバー軸と直交する軸に対して鋭角をなす傾斜面であり、前記第２の回動レバーの当接面が円弧状である
ことを特徴とするファン回転制御装置。
【請求項２】
前記傾斜面が、前記第１の回動レバーの自由端部に前記第１の回動レバーの回転中心を通るレバー軸と直交して起立された起立片の端面に形成されている
ことを特徴とする請求項１記載のファン回転制御装置。
【請求項３】
前記円弧状の当接面が、前記第２の回動レバーに螺合された螺子先端に形成した半球面の一部によって形成されている
ことを特徴とする請求項１又は２記載のファン回転制御装置。
【請求項４】
前記制御回路が、前記ファン回転用モータに供給する電力を調節する半導体スイッチを有し、
前記ケースの一部が前記半導体スイッチが固定された放熱板によって形成されている
ことを特徴とする請求項１〜３の何れかに記載のファン回転制御装置。
【発明の詳細な説明】
【技術分野】
【０００１】
本発明はファン回転制御装置に係り、特に、空調機の室外機に内蔵された凝縮器を空冷し、凝縮冷媒圧力を制御するファン回転用モータの回転数を制御するファン回転制御装置に関するものである。
【背景技術】
【０００２】
空調機の室外機においては、一般に、冷媒圧力を適正状態に制御することが必要で、このために、凝縮後の冷媒を冷却するために空気を利用する空冷式がある。空冷式の場合、外気状態の影響を受けて冷却能力が変動して冷媒圧力を適正に保てなくなることがないように、冷媒圧力に基づいてファン回転用モータの回転数を制御するファン回転制御装置を備えている。この種の装置では、凝縮した冷媒圧力を受圧して変位する変位部材の変位を拡大機構によって拡大し、この拡大した変位によってポテンショメータの可動端子を作動して抵抗値を変化させ、この抵抗値に応じた電気信号によりファン回転用モータへの供給電力を調節してファン回転用モータの回転数を制御している。
【０００３】
従来、この種の装置は、ケース内に収容された上で、取付部材によって室外機内に設置され、冷媒圧力を装置の配管よりケース本体内に導入して検知するため、ケースから所定長さの細管を延長し、その先端に取り付けた継ぎ手を冷媒配管に設けられた圧力取り出し継ぎ手と連結する構成を採用していた（例えば、特許文献１参照）。
【特許文献１】特許第３７４５８５８号公報
【発明の開示】
【発明が解決しようとする課題】
【０００４】
このため、従来の装置では、装置を収容したケースを取付部材によって室外機内に取付設置したり、細管を室外機内に配策する作業が必要である他、設置や配策のためのスペースの確保が必要であり、室外機の全体的なコストや小型化などにおいてにおいて問題があった。
【０００５】
このような問題を解消し、室外機の小型化とコストダウンを図るために、冷媒配管に細管を介さずに直結して装置を冷媒配管に直付けし、装置の取付や細管配策のためのスペースを削減することが考えられる。
【０００６】
しかしながら、冷媒配管に装置を直付けするためには、室外機内の制限された場所に制御装置を収容したり、直付けされた制御装置が冷媒配管を変形させるような大きな負荷とならないようにし、しかも、冷媒配管に生ずる振動に対して悪影響を及ばさないためにも、装置自体の小型軽量化を図ることが必要である。
【０００７】
一方、装置の小型化を単純に行うと、ポテンショメータの可動端子の移動量、すなわち、抵抗値変化量を十分にとれなくなって、単位圧力に対する抵抗値変化が小さくなって圧力の検出精度、引いては、制御精度を低下させることになるので、可動端子の必要な移動量を維持するために、受圧変位部材であるベローズの変位量を大きくすることも考え得る。しかし、ベローズ変位量の増大と繰り返し作動の耐久性との間には逆比例関係があり、耐久性の低下を補うためには、受圧変位部材の強度を高める必要があるが、ベローズの場合には、径、山数、肉厚の増大を伴うことになるので、小型化に好ましくない。
【０００８】
よって本発明は、上述した現状に鑑み、制御精度を低下することなく、小型軽量化を図ることができるファン回転制御装置を提供することを課題としている。
【課題を解決するための手段】
【０００９】
上記課題を解決するためになされた請求項１に係るファン回転制御装置は、凝縮冷媒の圧力を受圧する変位部材の変位を拡大機構によって拡大し、この拡大した変位によって可動端子を作動してポテンショメータの抵抗値を変化させる圧力−抵抗値変換機構と、前記ポテンショメータの抵抗値に応じた電気信号によりファン回転用モータに供給する電力を調節してファン回転用モータの回転数を制御する制御回路とをケース内に収容してなるファン回転制御装置であって、前記拡大機構が、回動中心寄りに当接された前記変位部材の変位に応じて回動される第１の回動レバーと、回動中心寄りに当接された前記第１の回動レバーの自由端部の変位によって回動され自由端部に設けられた前記可動接点を作動させる第２の回動レバーとを有し、前記第１の回動レバーの前記第２の回動レバーに対する当接面が、前記第１の回動レバーの回転中心を通るレバー軸と直交する軸に対して鋭角をなす傾斜面であり、前記第２の回動レバーの当接面が円弧状であることを特徴とする。
【００１０】
請求項１記載の発明によれば、拡大機構が有する第１の回動レバーの第２の回動レバーに対する当接面が、第１の回動レバーの回転中心を通るレバー軸と直交する軸に対して鋭角をなす傾斜面であり、第２の回動レバーの当接面が円弧状であるので、何らの追加部材を設けることなく、また、部材の大型化を伴うレバー比を変更することなく、凝縮冷媒の圧力を受圧する変位部材の変位を大きく拡大して可動端子を作動してポテンショメータの抵抗値を必要量変化させることができる。
【００１１】
請求項２に係るファン回転制御装置は、請求項２記載のファン回転制御装置において、前記傾斜面が、前記第１の回動レバーの自由端部に前記第１の回動レバーの回転中心を通るレバー軸と直交して起立された起立片の端面に形成されていることを特徴とする。
【００１２】
請求項２記載の発明によれば、傾斜面が、第１の回動レバーの自由端部に第１の回動レバーの回転中心を通るレバー軸と直交して起立された起立片の端面に形成されているので、傾斜面上の当接点の移動量を大きくし、傾斜面の有効利用によって変位の拡大を効果的に行うことができる。
【００１３】
請求項３に係るファン回転制御装置は、請求項１又は２に記載のファン回転制御装置において、前記円弧の当接面が、前記第２の回動レバーに螺合された螺子の先端に形成した半球面の一部によって形成されていることを特徴とする。
【００１４】
請求項３記載の発明によれば、第２の回動レバーの円弧状当接面が第２の回動レバーに螺合された螺子の先端に形成した半球面にの一部によって形成されているので、螺子の螺合調整によって螺子先端の突出量を調整することによって、第１の回動レバーの回動範囲に対するポテンショメータの抵抗値の変化範囲を簡単に調整することができる。
【００１５】
請求項４に係るファン回転制御装置は、請求項１〜３に何れかに記載のファン回転制御装置において、前記制御回路が、前記ファン回転用モータに供給する電力を調節する半導体スイッチを有し、前記ケースの一部が前記半導体スイッチが固定された放熱板によって形成されていることを特徴とする。
【００１６】
請求項４記載の発明によれば、ファン回転用モータに供給する電力を調節する制御回路の半導体スイッチが固定された放熱板によってケースの一部が形成されているので、半導体スイッチの発熱が放熱板を介してケース外に効果的に放熱され、ケース内の空間を小さくしてもケース内部の温度上昇を抑えることができる。
【発明の効果】
【００１７】
請求項１記載の発明によれば、何らの追加部材を設けることなく、また、部材の大型化を伴うレバー比を変更することなく、凝縮冷媒の圧力を受圧する変位部材の変位を拡大して可動端子を作動してポテンショメータの抵抗値を必要量変化させることができるので、制御精度を低下することなく、冷媒配管に直付けすることができるように小型軽量化を図った安価なファン回転制御装置を提供することができる。
【００１８】
請求項２記載の発明によれば、傾斜面上の当接面を大きく移動でき、傾斜面を利用した変位の拡大を効果的に行うことができるので、より一層の小型軽量化を図ることができる。
【００１９】
請求項３記載の発明によれば、先端半球面となした螺子の螺合調整によって螺子先端の突出量を調整することで、凝縮冷媒の圧力を受圧する変位部材の変位の拡大率を変化させることなく、第１の回動レバーの回動範囲に対するポテンショメータの抵抗値の変化範囲を簡単に調整できる。
【００２０】
請求項４記載の発明によれば、半導体スイッチの発熱が放熱板を介してケース外に効果的に放熱され、ケース内の空間を小さくしてもケース内部の温度上昇を抑えることができるので、より一層の小型軽量化を図ることができる。
【発明を実施するための最良の形態】
【００２１】
以下、図面を参照して本発明の実施の形態を説明する。図１は、本発明に係るファン回転制御装置が適用される空調機のシステム構成の概略を示す図である。
【００２２】
空調機システムは、図１のように、冷媒の蒸発によって周囲から熱を吸収する冷却作用を示す蒸発器１１などを内蔵し室内に配置される室内機１と、冷媒を圧縮する圧縮機２１、圧縮機２１によって圧縮された冷媒を凝縮する凝縮器２２、凝縮器２２を空冷するファン２３、ファン２３を駆動するファン回転用モータ２４、凝縮器２２によって凝縮された冷媒の圧力を検知して適当な凝縮状態を保持するようにファン回転用モータ２４の回転数を制御するファン回転制御装置２５などを内蔵し室外に配置される室外機２とによって構成されている。室内機１と室外機２は、凝縮器２２によって凝縮された冷媒を蒸発器１１に供給するとともに、蒸発器１１にて蒸発した冷媒を圧縮のため圧縮機２１に戻す冷媒配管３によって接続されている。
【００２３】
室外機２に内蔵されたファン回転制御装置２５は、図２に簡略化して示すように、凝縮器２２（図１）によって凝縮された冷媒の圧力を受圧する変位部材としてのベローズ２５１ａの変位を拡大機構２５２によって拡大し、この拡大した変位によって可動端子２５３ａを作動してポテンショメータ２５３の抵抗値を変化させる圧力−抵抗値変換機構２５Ａと、前記ポテンショメータ２５３の抵抗値に応じた電気信号によりファン回転用モータに供給する電力を調節してファン回転用モータ２４（図１）の回転数を制御するファン回転制御回路２５Ｂとを単一のケース２５Ｃ内に収容して構成されている。
【００２４】
ケース２５Ｃは、具体的には、図３の正面上方斜視図及び図４の背面下方斜視図にも示すように、樹脂成形された筒状のケース本体Ｃ１と、ケース本体Ｃ１の上方の開口Ｃ１１を塞ぐようシールパッキンを介して嵌合された樹脂成形されたケース蓋Ｃ２とにより構成されている。ケース本体Ｃ１の底壁Ｃ１２には、冷媒圧力を受圧して変位するベローズ２５１ａに凝縮冷媒を導入するため冷媒圧力継手２５１ｂが取り付けられている。この冷媒圧力継手２５１ｂには螺合孔２５１ｃが形成されており、この螺合孔２５１ｃに冷媒配管３側の継手３１の外周に形成した螺子部を螺合させ両継手を直接連結することにより、ファン回転制御装置２５は、凝縮された冷媒を室内機１に送給する冷媒配管３に冷媒圧力継手２５１ｂを介して直付けされて支持される。
【００２５】
拡大機構２５２は、詳細には後述するが、ケース本体Ｃ１内に固定されたる図示しない支持枠体を介してケース本体Ｃ１内に収容され、一端５２１ａを回動中心として、回動中心寄りに当接されたベローズ２５１ａの変位に応じて一対のストッパー（符号なし）間の所定角度範囲で回動される第１の回動レバー５２１と、一端５２２ａを回動中心とし回動中心寄りに当接された第１の回動レバー５２１の自由端部５２１ｂの変位によって回動され自由端部に設けられたポテンショメータ２５３の摺動子からなる可動端子２５３ａを作動させる第２の回動レバー５２２とを有する。拡大機構２５２は、ベローズ２５１ａの変位を第１の回動レバー５２１及び第２の回動レバー５２２によって拡大し、第２の回動レバー５２２の自由端部に設けられたポテンショメータ２５３の可動端子２５３ａを摺動抵抗体上で大きく移動させ、ベローズ２５１ａの小さな変位によって大きな抵抗値変化を得ることができる。
【００２６】
詳細には後述するが、第２の回動レバー５２２に対する第１の回動レバー５２１の当接は、第１の回動レバー５２１の自由端部５２１ｂに第１の回動レバー５２１の回転中心を通るレバー軸と直交して起立された起立片５２１ｃの上端面を第２の回動レバー５２２の回動中心寄りの部分に当接させることで行われるている。なお、第１の回動レバー５２１が時計回転方向に回動されると、第２の回動レバー５２２が反時計回転方向に回動されるように、回動中心５２１ａ，５２２ａがそれぞれ定められている。
【００２７】
第１の回動レバー５２１の回動中心寄りに当接されたベローズ２５１ａには、第１の回動レバー５２１の自由端部と固定部（符号なし）との間に縮設されたコイルスプリング２５１ｂによる弾性付勢力が付与されている。コイルスプリング２５１ｂの弾性付勢力を調整することによって、ベローズ２５１ａが受圧する冷媒圧力が最小圧力である第１の圧力以上になると弾性付勢力に抗して第１の回動レバーが回動し始めて一方のストッパーから離れて変位し始め、この変位分、コイルスプリング２５１ｂが収縮して弾性付勢力が増大する。そして、冷媒圧力が最大圧力である第２の圧力に達すると第１の回動レバーが他方のストッパーに突き当たってそれ以上回動しなくなる。
【００２８】
ポテンショメータ２５３は、ケース本体Ｃ１内の所定位置に固定配置されたセラミック基板２５３ｂ上に焼き付けにより固着した摺動抵抗体２５３ｃとこれに平行に配された摺動導体２５３ｄを跨いで摺動する摺動子からなる可動端子２５３ａを移動することによって、摺動抵抗体２５３ｃの一端と摺動導体２５３ｄとの間の抵抗値が変化されるように構成されている。
【００２９】
ケース２５Ｃ内に収容されたモータ回転制御回路２５Ｂは、図５の回路図に示すように、交流半導体スイッチとしてのトライアックＢ１と、可変抵抗としてのポテンショメー２５３（図２）からなる可変抵抗Ｂ２１とコンデンサＢ２２からなり可変抵抗２１の抵抗値に応じた点弧角でトライアックＢ１を点弧するトリガ回路Ｂ２と、コイルＢ３１とコンデンサＢ３２からなりトライアックＢ１の作動によるノイズを低減するノイズ低減回路Ｂ３とを有する。モータ回転制御回路２５Ｂは、一対の交流端子Ｔ１及びＴ２を介して交流モータであるファン回転用モータ２４に接続される一対の交流電源線の一方に挿入接続される。端子Ｔ１に固定端子が接続されているポテンショメータの可動端子２５３ａは、トライアックＢ１のゲート（交流半導体スイッチの制御端子）に接続されるとともにコンデンサＢ２２を介して接地端子Ｔ３に接続されている。トライアックＢ１とコイルＢ３１との接続点はコンデンサＢ３２を介して接地端子Ｔ３に接続されている。
【００３０】
モータ回転制御回路２５Ｂのトリガ回路Ｂ２を可変抵抗Ｂ２１とともに構成しているコンデンサＢ２２、ノイズ低減回路Ｂ３を構成しているコイルＢ３１及びコンデンサＢ３２、一対の交流端子Ｔ１及びＴ２、接地端子Ｔ３は、プリント基板Ｂ４上に載置されて相互接続された上でケース本体Ｃ１内に収容される。ファン回転用モータに流れる電流が流れ動作中発熱を伴うトライアックＢ１は、プリント基板Ｂ４には搭載せず、表面に縦長の多数の放熱フィンＢ５１を有するアルミ合金製の放熱板Ｂ５の背面に直付けされる。そして、ケース本体Ｃ１の周壁に開けた開口Ｃ１３（図２）を塞ぐように、放熱フィンＢ５１を外側にして放熱板Ｂ５がケース本体Ｃ１の外側からシールパッキン（図示せず）を介して螺子止めされることにより、放熱板Ｂ５の背面に直付けされているトライアックＢ１はケース本体Ｃ１内に収容される。
【００３１】
プリント基板Ｂ４をケース本体Ｃ１に収容する際、既にケース本体Ｃ１内にセラミック基板２５３ｂが収容され、放熱板Ｂ５がケース本体Ｃ１の外側から螺子止めされているので、セラミック基板２５３ｂ上の摺動抵抗体２５３ｃ及び摺動導体２５３ｄの一端と、トライアックＢ１の３端子がプリント基板Ｂ４の所定のプリント配線にハンダ付けなどによって電気的に接続されることで、図５に示す構成のモータ回転制御回路２５Ｂがケース本体Ｃ１内において組み立てられる。その後、ケース本体Ｃ１の上方の開口Ｃ１１にシールパッキンを介してケース蓋Ｃ２が嵌合され螺子止めされると、プリント基板Ｂ４に電気接続されている端子Ｔ１〜Ｔ３の先端部が端子挿通孔を通じてケース蓋Ｃ２のコネクタ嵌合部Ｃ２１（図３）にコネクタ端子として突出される。また、ケース蓋Ｃ２には、トライアックＢ１同様に発熱を伴う大きな電流が流れるコンデンサＢ３２がその内側に配置される部位に、放熱用フィンＣ２２が一体に形成されている。
【００３２】
なお、ケース本体Ｃ１内にセラミック基板２５３ｂを収容する際に、セラミック基板２５３ｂ上の摺動抵抗体２５３ｃ及び摺動導体２５３ｄに弾接してこれらを跨いで摺動する可動端子２５３ａを構成する摺動子に必要以上の力を加え塑性変形させる損傷を与えないように、図示の構成のように可動端子２５３ａの移動方向とセラミック基板の挿入方向を一致させるようにする他、挿入時の摩擦抵抗を減ずるグリースを可動端子２５３ａ側に塗布することが好ましい。
【００３３】
上述した回路構成によって、冷媒圧力が低下してポテンショメータの可動端子２５３ａが矢印（図５）で示すように移動してポテンショメー２５３（図２）からなる可変抵抗Ｂ２１の抵抗値が増大すると、可変抵抗Ｂ２１を通じて行われる充電によるコンデンサＢ２２の充電電圧の上昇が遅れてトライアックＢ１の点弧が遅れ、トライアックＢ１を通じてファン回転用モータ２４（図１）に供給される電力が減少する。供給電力の減少によって、ファン回転用モータ２４の回転数が減少する。これに対し、冷媒圧力が上昇して可動端子２５３ａが矢印と逆方向に移動すると、抵抗値が減少してトライアックＢ１の点弧が速くなって供給電力が増加し、ファン回転用モータ２４（図１）の回転数が増加する。よって、図６に示すように、冷媒圧力が最小圧力Ｐ１のときの最小値（ＭＩＮ）と最大圧力Ｐ２のときの最大値（ＭＡＸ）との間で、トライアックＢ１を通じてファン回転用モータ２４に供給される電力出力が変化されて、ファン回転用モータ２４（図１）の回転数が制御される。
【００３４】
以上、ファン回転制御装置２５の概略構成を説明したが、その詳細構成を、一部分を破断した図７の背面上方斜視図、図８〜図１０の部分図を参照して以下説明する。
【００３５】
冷媒圧力を受圧して変位するベローズ２５１ａに凝縮冷媒を導入するための冷媒圧力継手２５１ｂは、取付板２５１ｄ上でベローズ２５１ａと連結されて一体化され、ケース本体Ｃ１の底壁Ｃ１２中央部に設けられた取付部Ｃ１４に取付板２５１ｄをシールパッキン（図示せず）を介して螺子止めすることによって、底壁Ｃ１２中央部に取り付けられる。ベローズ２５１ａは取付部Ｃ１４に開けられた開口（図示せず）を通じて挿入されケース本体内に収容される。
【００３６】
ベローズ２５１ａの変位を拡大しポテンショメータの可動端子を作動する拡大機構２５２は、第１及び第２の回動レバー５２１及び５２２を有するが、これらの回動レバーはケース本体Ｃ１の底壁Ｃ１２に設置される支持枠体５２５に組み付けられてケース本体Ｃ１内に収容される。支持枠体５２５は、支持枠体５２５を底壁Ｃ１２に取り付けるための取付ベース５２５ａと、取付ベースの一端から起立されて形成され第１の回動レバー５２１を回動自在に支持する第１の一対の回動支持片５２５ｂと、他端部の両側から起立された形成され第２の回動レバー５２２を回動自在に支持する第２の一対の回動支持片５２５ｃとを有する。
【００３７】
取付ベース５２５ａは、４つの螺子孔５２５ａ１に底壁Ｃ１２の外側からの螺子が螺合されることによって底壁Ｃ１２に固定される。第１の一対の回動支持片５２５ｂは、これらに開けた軸孔５２５ｂ１にて支持した回動軸５２５ｄを第１の回動レバー５２１両側の折曲部５２１ｄの一端部に開けた軸孔に挿通することで第１の回動レバー５２１を枢支し、回動軸５２５ｄを回動中心（５２１ａ）として回動するように支持する。第１の回動レバー５２１の回動中心寄りには、ベローズ２５１ａの上面に対して常時線接触を保って当接されるリブ５２１ｄが設けられている。第１の回動レバー５２１の自由端は、取付ベースの他端から起立された片５２５ｅに開けられた所定の大きさの角孔５２５ｅ１に挿入されている。角孔５２５ｅ１の上下縁は、自由端部の上下面と突き当たって第１の回動レバー５２１を所定角度範囲で回動させるストッパーとして働き、ベローズ２５１ａの変位に応じてストッパー間の所定角度範囲で第１の回動レバー５２１を回動させる。
【００３８】
第１の回動レバー５２１の自由端部５２１ｂには、一方の折曲部５２１ｅに螺子５２１ｆによって下端部が固着され、第１の回動レバー５２１の回転中心を通るレバー軸と直交して起立された起立片５２１ｃが設けられ、その上端部が折曲されて当接面５２１ｃ１が形成されている。当接面５２１ｃは、第１の回動レバー５２１の回転中心５２１ａを通るレバー軸と直交する軸に対して鋭角をなす傾斜面となっている。
【００３９】
第１の回動レバー５２１の自由端部にはまた、縁部にリブ５２１ｇ１が形成された孔５２１ｇが開けられ、図１０に示すように、この孔５２１ｇに取付ベース５２５ａの底部から挿入した調整螺子５２１ｈを通し、その螺子部５２１ｈ１を有頭ボルト５２１ｊの螺子孔５２１ｊ１に螺合することによって、第１の回動レバー５２１の自由端部と有頭ボルト５２１ｊの頭部５２１ｊ２との間にコイルスプリング２５１ｂが縮設されている。リブ５２１ｇ１はコイルスプリング２５１ｂの下端部に嵌合して位置決めしている。有頭ボルト５２１ｊは調整螺子５２１ｈによって支持枠体５２５に固定されているので、第１の回動レバー５２１の自由端部と固定部との間に縮設されたコイルスプリング２５１ｂによる弾性付勢力が第１の回動レバー５２１を介してベローズ２５１ａに付与されている。有頭ボルト５２１ｊの回転を止めて調整螺子５２１ｈを回転し、自由端部と有頭ボルト５２１ｊの頭部５２１ｊ２との間の距離と変えることによって弾性付勢力を調整することができる。
【００４０】
第１の回動レバー５２１の当接面５２１ｃ１が回動中心寄りに当接され、当接面５２１ｃ１の変位によって回動される第２の回動レバー５２２は、第２の一対の回動支持片５２５ｃにより回動自在に支持される。このために、第２の回動レバー５２２の一端部は一対の回動支持片５２５ｃにそれぞれ対応して２つに分岐され、各分岐部５２２ａには、各回動支持片５２５ｃに設けられた回転軸（図示せず）が挿通される軸孔５２２ａ１が開けられている。よって、一対の回動支持片５２５ｃは、この軸孔５２２ａ１に挿通された回転軸を回転中心として回動するように第２の回動レバー５２２を支持する。第２の回動レバー５２２には、その回動中心近傍に位置するように、分岐部５２２ａを跨いで螺子孔ブロック５２２ｃが設けられ、このブロック５２２ｃの螺子孔に螺合したに螺子５２２ｄの先端部５２２ｄ１が半球面形状に形成されて、この先端部５２２ｄ１に起立片５２１ｃ上端部の当接面５２１ｃ１が当接される。
【００４１】
先端部５２２ｄ１と当接面５２１ｃ１との当接は、第１の一対の回動支持５２５ｂの一方の延長部５２５ｂ２の先端係止凹部５２５ｂ３と、第２の回動レバーの一方の分岐部５２２ａから起立させた係止片５２２ｅの係止孔５２２ｅ１との間にスプリング５２２ｆを張設し、第２の回動レバー５２２に時計回転方向の付勢力を付与しておくことによって、常に一定の接触圧を保って保持される。また、螺子５２２ｄの回転によってその先端５２２ｄ１の突出量を調整することで、第２の回動レバー５２２の自由端の端子ホルダ５２２ｇに固定された可動端子２５３ｃの摺動抵抗体（図示せず）に対する接触位置を調整することができる。特に、先端が半球面状となっているので、螺子５２２ｄの螺合調整によって先端の突出量を調整しても、当接面５２１ｃ１に対する接触面の形状が変化しないので、凝縮冷媒の圧力を受圧する変位部材の変位の拡大率に変化させることなく、第１の回動レバーの回動範囲に対するポテンショメータの抵抗値の変化範囲を簡単に調整できる。
【００４２】
なお、筒状のケース本体Ｃ１と、これに嵌合されて開口Ｃ１１を塞ぐケース蓋Ｃ２との間に介在されるシールパッキンは、開口Ｃ１１の縁部に形成された溝Ｃ１１ａ内に収容保持さている。また、ケース本体Ｃ１内に収容されたプリント基板Ｂ４は、ケース本体Ｃ１内において底壁Ｃ１２から起立された複数の支持片Ｃ１５（１つのみ図示）の上端部に形成した段部Ｃ１６に、下面が下受けされるとともにその外側縁が規制されることによって、ケース本体Ｃ１内の所定位置に収容保持される。
【００４３】
図８〜図１０を参照して詳述したように、第１の回動レバー５２１と第２の回動レバー５２２との間の当接が、第１の回動レバー５２１の回転中心を通るレバー軸と直交する軸に対して鋭角をなす第１の回動レバー５２１側の傾斜した当接面５２１ｃ１と、第２の回動レバー５２２側の円弧状面とで行うことによって、図１１に示すように、べローズ２５１ａの０．４１９ｍｍの変位によって第１の回動レバー５２１を回動中心５２１ａを中心に４°回動させると、角孔５２５ｅ１のストッパー部分で２．５ｍｍ変位するが、この第１の回動レバーで拡大した変位により、８０°の鋭角をなして傾斜した当接面５２１ｃ１を、回動中心５２２ａから５ｍｍの位置に突設した螺子先端５２２ｄ１の半球面を利用した円弧面に当接して第２の回動レバー５２２を変位させると、第１の回動レバー５２１の４°の回動によって、第２の回動レバー５２２を水平位置を中心に下側に１０．１°、上側に１２°、合計２２．１°回動させることができるようになる。
【００４４】
因みに、当接面５２１ｃ１を傾斜させない当接面を利用した場合には、１８．８°の回動しか得られないので、傾斜した当接面の採用によって、大幅な拡大率の改善が図られていることが分かる。よって、拡大機構のレバー比によらずに拡大率を大きくすることができるようになり、拡大機構のコンパクト化によって、装置全体の小型化が可能となる。
【００４５】
なお、上述の実施の形態では、傾斜した当接面を起立片の上端に形成しているが、実施の形態のような起立片に設けられなくてもよく、要は、第１の回動レバー５２１の回転中心を通るレバー軸と直交する軸に対して鋭角をなす第１の回動レバー５２１側の傾斜面であればよい。
【００４６】
しかし、傾斜面が、起立片の端面に形成された場合、傾斜面上の当接点の移動量を大きくし、傾斜面の有効利用によって変位の拡大を効果的に行うことができる点で有効である。
【００４７】
なお、変位の拡大率が大きくできると、単に、小型軽量化が図られるだけでなく、ベローズの伸縮量の低減によってベローズの耐久性の向上が図れるほか、ベローズの小型化や拡大機構のシンプル化による装置の小型化も図れる。
【図面の簡単な説明】
【００４８】
【図１】本発明に係るファン回転制御装置が適用される空調機のシステム構成の概略を示す図である。
【図２】本発明に係るファン回転制御装置の一実施形態を簡略化して示す簡略図である。
【図３】本発明に係るファン回転制御装置の一実施形態を示す正面上方斜視図である。
【図４】図４のファン回転制御装置の背面下方斜視図である。
【図５】本発明に係るファン回転制御装置が内蔵するモータ回転制御回路の実施形態を示す回路図である。
【図６】ファン回転制御装置の圧力−出力特性を示すグラフである。
【図７】本発明に係るファン回転制御装置の一実施形態の詳細を一部分破断して示す正面上方斜視図である。
【図８】図７中の圧力−抵抗値変換機構を一部破断して示す側面図である。
【図９】図８中の一部分を示す上面図である。
【図１０】図７中の一部分を示す側面図である。
【図１１】第１の回動レバーの具体例を一部破断して示す破断図である。
【図１２】本発明の効果を説明するための説明図である。
【符号の説明】
【００４９】
Ｂ１  トライアック（半導体スイッチ）
Ｂ５  放熱板
Ｃ１  ケース
２４  ファン回転用モータ
２５Ａ  圧力−抵抗値変換機構
２５Ｂ  ファン回転制御回路（制御回路）
２５１ａ  ベローズ（変位部材）
２５３  ポテンショメータ
２５３ｃ  可動端子
５２１  第１の回動レバー
５２１ｃ  起立片
５２１ｃ１  当接面
５２２  第２の回動レバー
５２２ｄ１  先端部（当接面）
５２５  拡大機構
【図１】
2008106689.tif 000003
【図２】
2008106689.tif 000004
【図３】
2008106689.tif 000005
【図４】
2008106689.tif 000006
【図５】
2008106689.tif 000007
【図６】
2008106689.tif 000008
【図７】
2008106689.tif 000009
【図８】
2008106689.tif 000010
【図９】
2008106689.tif 000011
【図１０】
2008106689.tif 000012
【図１１】
2008106689.tif 000013
【図１２】
2008106689.tif 000014